(57)【要約】【課題】ディスク状記録媒体のローディング時、ローディングしたディスク状記録媒体への非記録再生時、および装置の電源をＯＦＦしている時であっても、確実に対物レンズとディスク状記録媒体との衝突を回避する、小型でかつ簡単な構成からなる情報記録再生装置を提供する。【解決手段】情報記録再生装置１には、筐体の一部であるベース１１上にシャーシ３が配設され、このシャーシ３に、光ディスク２に光を照射させて情報の記録再生を行なう光ピックアップ４と、光ディスク２を保持して回転させる回転保持部５と、光ディスク２をターンテーブル５１に保持する際、このターンテーブル５１を設けた回転保持部５および光ピックアップ４とを光ディスク２の面に対して垂直方向に移動させる移動手段６と、が設けられている。【選択図】図２
2004139633.tif 000002
【特許請求の範囲】
【請求項１】
情報を記録再生するディスク状記録媒体を保持する保持部と、この保持部に保持したディスク状記録媒体を回転させる回転部とから構成される回転保持部と、この保持部に保持したディスク状記録媒体に情報を記録再生するピックアップ部と、がシャーシに設けられてなる情報記録再生装置において、
前記回転保持部を、前記保持部に保持した前記ディスク状記録媒体の面に対して垂直方向に移動させる移動手段が設けられ、この移動により前記保持部に保持した前記ディスク状記録媒体の面と前記ピックアップ部との距離を調節することを特徴とする情報記録再生装置。
【請求項２】
前記移動手段は、前記回転部とその複数の箇所で当接して上記回転保持部を前記保持部に保持した前記ディスク状記録媒体の面に対して垂直方向に移動させることを特徴とする請求項１に記載の情報記録再生装置。
【請求項３】
前記回転部には、前記移動手段と直接当接する軸受板が設けられるとともに、先端が半球状に形成された前記垂直方向に延出した棒状の回転軸が設けられ、
前記移動手段により前記回転軸の先端を前記軸受板に当接させた状態で移動させることで、前記回転保持部を前記保持部に保持した前記ディスク状記録媒体の面に対して垂直方向に移動させることを特徴とする請求項１に記載の情報記録再生装置。
【請求項４】
前記移動手段により前記保持部に保持した前記ディスク状記録媒体を、前記ピックアップ部に接近させて情報の記録再生を可能な状態では、前記移動手段と前記回転部とは非接触状態となることを特徴とする請求項１に記載の情報記録再生装置。
【請求項５】
前記ディスク状記録媒体を前記保持部に保持した後に、前記移動手段により前記回転保持部を、前記保持部に保持した前記ディスク状記録媒体の面に対して垂直方向に移動させることを特徴とする請求項１に記載の情報記録再生装置。
【請求項６】
前記移動手段による前記回転保持部の移動は、前記ディスク状記録媒体をローディング／アンローディングするモータの稼動に連動して行なわれることを特徴とする請求項１に記載の情報記録再生装置。
【請求項７】
前記ディスク状記録媒体への情報の記録再生時のみ、前記移動手段によって前記回転保持部をディスク状記録媒体に接近する方向に移動させることを特徴とする請求項１に記載の情報記録再生装置。
【請求項８】
前記ディスク状記録媒体はカートリッジに格納されてなり、
前記移動手段による前記回転保持部の移動量は、前記カートリッジの内壁と前記ディスク状記録媒体との隙間幅以下に設定されたことを特徴とする請求項１に記載の情報記録再生装置。
【請求項９】
前記移動手段により、前記保持部に保持した前記ディスク状記録媒体を前記ピックアップ部に接近させる方向に移動させる際、前記回転部では移動完了するまでに予め設定した回転数となるよう構成されたことを特徴とする請求項１に記載の情報記録再生装置。
【発明の詳細な説明】
【０００１】
【発明の属する技術分野】
本発明は、情報記録再生装置に関する。
【０００２】
【従来の技術】
従来の情報記録再生装置は、ＣＤあるいはＤＶＤ等の光ディスク状記録媒体（以下、光ディスクという）をローディングし、光ディスクに記録された情報を再生、または光ディスクに情報を記録するものである。
【０００３】
この情報記録再生装置への光ディスクのローディングは次のようにして行なわれる。
【０００４】
光ディスクを、情報記録再生装置に設けられたローディング機構により情報記録再生装置内にローディングする。光ディスクが情報記録再生装置内にローディングすると、情報記録再生装置のシャーシに設けられたターンテーブルに光ディスクをチャッキングしようと情報記録再生装置内ではシャーシが支点を軸に、ローディングされた光ディスクにターンテーブルを接近させるよう回動する。シャーシの回動によりターンテーブルをローディングした光ディスクに接近させ、ターンテーブルのマグネットとクランパに内蔵された磁性体との間に光ディスクを挟むことによって光ディスクをクランプして、光ディスクをローディングする。
【０００５】
また、この情報記録再生装置では、ローディングした光ディスクに情報を記録再生するために用いる光ビームを集光する対物レンズが設けられている。この対物レンズは、レンズホルダに保持されるとともに、フォーカシングおよびトラッキング方向に移動可能に弾性支持部材などからなるガイドにより支持され、対物レンズおよびレンズホルダを含む可動部の自重により重力方向に移動する。
【０００６】
ここで用いる弾性支持部材に、例えば板バネやワイヤを用いた場合、自重による移動量は、１次共振周波数の値に関係するが一般的に約０．２ｍｍ〜０．４ｍｍである。また、光ディスクと対物レンズとの作動距離（ワーキングディスタンス）と自重による光ディスクと対物レンズとの距離とは、一般的に約０．３ｍｍ〜０．５ｍｍである。
【０００７】
ところで、光ディスクを完全にクランプするまでの間、光ディスクを通常のクランプする状態より傾いてクランプする場合がある。この場合、上記した対物レンズの移動量や、光ディスクと対物レンズとの距離の設定値では、図１１に示すように光ディスクが対物レンズに接して対物レンズあるいは光ディスクを破損させることがある。図中の符号９１は、光ディスクを示し、符号９２は、ターンテーブルを示し、符号９３は、対物レンズを示し、符号９４は、光ピックアップを示し、符号９５は、ガイド軸を示す。
【０００８】
また、光ディスクをクランプする際に生じる衝撃により、その反動で対物レンズがクランプした光ディスクに向かう方向に移動して光ディスクと接し、対物レンズあるいは光ディスクを破損させる。また、電源をＯＦＦしている時に、例えば本情報記録再生装置を落とすなど情報記録再生装置に衝撃を与えると、対物レンズがクランプした光ディスクに向かう方向に移動して光ディスクと接し、対物レンズあるいは光ディスクを破損させる。
【０００９】
そこで、上記した対物レンズと光ディスクとの衝突を回避する対物レンズ駆動装置が提案された（例えば、特許文献１、２参照。）。
【００１０】
特許文献１に記載された対物レンズ駆動装置の場合、光ディスクおよび対物レンズの破損を回避するために、シリコン樹脂材料で形成されたストッパー部材の上面が対物レンズの頂点より高くなるように備えられている。しかし、この対物レンズ駆動装置では、光ディスクをクランプする際に生じる衝撃や、電源をＯＦＦしている時の情報記録再生装置への衝撃時に、ローディングした光ディスクと可動部側に設けられたストッパー部材の衝突は回避できない。そのため、可動部を支持する板バネあるいはワイヤに無理な付加がかかり、対物レンズ駆動装置を破損させる場合がある。
【００１１】
また、特許文献２に記載された対物レンズ駆動装置の場合、ローディング動作の開始から完了までの間に、対物レンズを保持した可動部を光ディスクから離れる方向に移動させることで、ローディングした光ディスクと対物レンズとの接触を回避することができる。しかし、この対物レンズ駆動装置内において、可動部の可動量を光ディスクから離れる方向に十分な可動量の範囲で設定する必要があり、この可動部を稼動させるために磁気回路を大型化する必要がある。そのため、マグネットサイズが大きくなることによるコストアップおよび、対物レンズ駆動装置のサイズが大きくなることによる装置の小型化の妨げの要因となる。また、可動部を板バネあるいは、ワイヤで支持する方式を採用した対物レンズ駆動装置の場合、可動部を大きく移動させることで板バネあるいはワイヤに付加がかかり支持部材が塑性変形する場合がある。さらに、ローディング動作開始の信号を受けて電気的に可動部退避動作を行う構成であるため、システムの不具合等により動作しない場合がある。また、この対物レンズ駆動装置は、ローディング動作開始の信号を受けて電気的に可動部退避動作を行う構造になっているため、電源をＯＦＦしている時の対物レンズ駆動装置への衝撃時に、対物レンズとローディングした光ディスクとの衝突を回避することができない。
【００１２】
【特許文献１】
特開２００１−３１９３５５号公報
【特許文献２】
特開平３−５２１２３号公報
【００１３】
【発明が解決しようとする課題】
そこで上記課題を解決するために本発明は、ディスク状記録媒体のローディング時、ローディングしたディスク状記録媒体への非記録再生時、および装置の電源をＯＦＦしている時であっても、対物レンズとディスク状記録媒体との衝突を確実に回避する、小型でかつ簡単な構成からなる情報記録再生装置を提供することを目的とする。
【００１４】
【課題を解決するための手段】
上記目的を達成するため本発明に係る情報記録再生装置は、情報を記録再生するディスク状記録媒体を保持する保持部と、この保持部に保持したディスク状記録媒体を回転させる回転部とから構成される回転保持部と、この保持部に保持したディスク状記録媒体に情報を記録再生するピックアップ部と、がシャーシに設けられてなる情報記録再生装置において、前記回転保持部を、前記保持部に保持した前記ディスク状記録媒体の面に対して垂直方向に移動させる移動手段が設けられ、この移動により前記保持部に保持した前記ディスク状記録媒体の面と前記ピックアップ部との距離を調節することを特徴とする。
【００１５】
この発明によれば、回転保持部とピックアップ部と移動手段とが設けられているので、ピックアップ部によって保持部に保持したディスク状記録媒体から情報を記録再生する時以外は、移動手段により保持部に保持したディスク状記録媒体の面と対物レンズとの距離を離すことが可能となり、その結果、ピックアップ部と保持部に保持したディスク状記録媒体との衝突を回避することが可能となる。特に、ディスク状記録媒体と対物レンズとの作動距離（ワーキングディスタンス）が小さい高密度情報記録再生装置においてその効果が顕著に現れる。
【００１６】
上記構成において、上記移動手段は、上記回転部とその複数の箇所で当接して上記回転保持部を上記ディスク状記録媒体の面に対して垂直方向に移動させてもよい。
【００１７】
この場合、移動手段が回転部とその複数の箇所で当接するので、一点で当接する場合と比較して、ディスク状記録媒体の面に対して垂直方向に傾くことなく移動することが可能となる。また、一点で回転保持部を垂直方向に移動させる場合と比較して、垂直移動することによる回転部と軸受けとの摺動によって生じる摩耗等を防止することが可能となる。
【００１８】
上記構成において、上記回転部には、上記移動手段と直接当接する軸受板が設けられるとともに、先端が半球状に形成された上記垂直方向に延出した棒状の回転軸が設けられ、上記移動手段により上記回転軸の先端を上記軸受板に当接させた状態で移動させることで、上記回転保持部を上記保持部に保持した上記ディスク状記録媒体の面に対して垂直方向に移動させてもよい。
【００１９】
この場合、回転部の軸受板を介して、軸受板と回転軸を同時に垂直移動（昇降）させるため、回転部の上昇時でも回転部を回転させることが可能となり、ピックアップ部のフォーカスを合わせながらディスク状記録媒体をピックアップ部に近づけることが可能になり、ディスク状記録媒体とピックアップ部との衝突をより防止することが可能となる。
【００２０】
上記構成において、上記移動手段により上記保持部に保持したディスク状記録媒体を、上記ピックアップ部に接近させて情報の記録再生を可能な状態では、上記移動手段と上記回転部とは非接触状態となってもよい。
【００２１】
この場合、情報の記録再生を可能な状態にした際、移動手段と回転部とは非接触状態となるので、回転部では移動手段との当接による負荷の影響を受けることなく保持部に保持したディスク状記録媒体を回転させることが可能となる。
【００２２】
上記構成において、上記ディスク状記録媒体を上記保持部に保持した後に、上記移動手段により上記回転保持部を、上記保持部に保持した上記ディスク状記録媒体の面に対して垂直方向に移動させてもよい。
【００２３】
この場合、ディスク状記録媒体を傾くことなく保持部に保持した後に、回転軸が保持したディスク状記録媒体の面に対して垂直方向に移動するので、ディスク状記録媒体の傾きによって生じるディスク状記録媒体とピックアップ部との衝突を回避することが可能となる。
【００２４】
上記構成において、上記移動手段による上記回転保持部の移動は、上記ディスク状記録媒体をローディング／アンローディングするモータの稼動に連動して行なわれてもよい。
【００２５】
この場合、移動手段による回転保持部の移動がディスク状記録媒体をローディング／アンローディングするモータの稼動に連動して行なわれるので、ディスク状記録媒体のローディング／アンローディング時のみ、保持部に保持したディスク状記録媒体をピックアップ部から離れる方向に移動させることが可能となる。
【００２６】
上記構成において、上記ディスク状記録媒体への情報の記録再生時のみ、上記移動手段によって上記回転保持部をディスク状記録媒体に接近する方向に移動させてもよい。
【００２７】
この場合、ディスク状記録媒体への情報の記録再生時のみ、移動手段によって回転保持部をディスク状記録媒体に接近する方向に移動させるので、ディスク状記録媒体のローディング時、ローディングしたディスク状記録媒体への非記録再生時、および装置の電源をＯＦＦしている時に、ピックアップ部とディスク状記録媒体との衝突を確実に回避することが可能となる。
【００２８】
上記構成において、上記ディスク状記録媒体はカートリッジに格納されてなり、上記移動手段による上記回転保持部の移動量は、上記カートリッジの内壁と上記ディスク状記録媒体との隙間幅以下に設定されてもよい。
【００２９】
この場合、ディスク状記録媒体を格納したカートリッジを用いた場合であっても、移動手段による回転保持部の移動量がカートリッジの内壁とディスク状記録媒体との隙間幅以下に設定されているので、ディスク状記録媒体のローディング時、ローディングしたディスク状記録媒体への非記録再生時、および装置の電源をＯＦＦしている時に、カートリッジの内壁にディスク状記録媒体が当たらない状態でピックアップ部とディスク状記録媒体との衝突を確実に回避することが可能となる。
【００３０】
上記構成において、上記移動手段により、上記保持部に保持した上記ディスク状記録媒体を上記ピックアップ部に接近させる方向に移動させる際、上記回転部では移動完了するまでに予め設定した回転数となるよう構成されてもよい。
【００３１】
この場合、ピックアップ部のフォーカスを合わせながら、移動手段により保持部に保持したディスク状記録媒体をピックアップ部に接近させることが可能となり、ピックアップ部のフォーカスの合致に対応するよう移動手段の移動を制限させることが可能となる。その結果、ディスク状記録媒体とピックアップ部との衝突を回避することが可能となる。
【００３２】
【発明の実施の形態】
本発明の実施の形態について図面を参照して説明する。なお、以下に示す各実施の形態では、ディスク状記録媒体として、例えばＣＤあるいはＤＶＤと同様の直径が１２０ｍｍであって、中心孔が形成された光ディスクを用いる。しかし、このディスク状記録再生媒体は、その形状がディスク状に形成されていれば、情報の記録再生方法が光の入反射によるものに限定されず、また、その直径も１２０ｍｍに限定されるものではない。
＜実施の形態１＞
本実施の形態１にかかる情報記録再生装置を、図１、図２に示す。図１は、情報記録再生装置１の平面図であり、図２は、図１のＡ−Ａ線断面図である。
【００３３】
この情報記録再生装置１には、図１、図２に示すように筐体の一部であるベース１１上にシャーシ３が配設され、このシャーシ３に、光ディスク２に光を照射させて情報の記録再生を行なう光ピックアップ４と、光ディスク２を保持して回転させる回転保持部５と、が設けられている。
【００３４】
光ピックアップ４は、図３、図４に示すように、光ディスク２への情報の記録再生を行うにあたってレーザ光を集光する対物レンズ４１と、この対物レンズ４１を保持しフォーカシング方向及びトラッキング方向に集光するレーザ光の軌道を補正するよう駆動する対物レンズ駆動装置４２と、光ディスク２からの反射光に基づく情報の記録再生を行う光学ブロック（図示省略）とから構成されている。
【００３５】
また、この光ピックアップ４にはガイド孔４３が形成され、このガイド孔４３に、回転保持部５に保持した状態の光ディスク２の半径方向に光ピックアップ４を案内するガイド軸４４が挿通され、光ピックアップ４がガイド軸４４によって回転保持部５に保持した状態の光ディスク２の半径方向に走査される。
【００３６】
回転保持部５は、図３、図４に示すように、光ディスク２を保持するターンテーブル５１と、ターンテーブル５１に連結され、モータ駆動回路（図示省略）によって回転駆動し、ターンテーブル５１に保持された光ディスク２を回転させるスピンドルモータ５２と、から構成されている。
【００３７】
ターンテーブル５１には、図３、図４に示すように、その内部にチャッキングマグネット４５が設けられ、このチャッキングマグネット４５の上方にクランパ５４が設けられ、このチャッキングマグネット４５の外方に光ディスク２の中心孔２ａを嵌める傾斜片５５が、保持する光ディスク２の面に対して垂直方向（Ｘ方向、図３、図４参照）に移動可能に設けられている。光ディスク２はチャッキングマグネット４５にクランパ５４が吸着することによってターンテーブル５１に保持されるとともに、光ディスク２の中心孔２ａの周縁が傾斜片５５に嵌合されることによって情報記録再生装置１内における光ディスク２の位置決めがされる。
【００３８】
スピンドルモータ５２は、その外周側が、モータ磁気回路用ロータマグネット５６（以下、ロータマグネットという）が圧入等により外周側の内側面に固着したロータケース５７により構成され、ロータケース５７の中心部にシャフト５８が設けられている。このシャフト５８は、その軸方向（Ｘ方向、図３、図４参照）であってその下方側の先端５８ａが半球状に形成されてなる。
【００３９】
このシャフト５８の外周側には、数μｍ程度の隙間をあけてメタル軸受５９が設けられ、シャフト５８の先端５８ａが、スラスト板５１０を介して回転保持部５の筐体面であるステータ板５１１の板面に接している。なお、この接触は、ロータマグネット５６と下記するコア５１２とが吸引される際、ロータマグネット５６のシャフト５８の軸方向（Ｘ方向）の中心位置とコア５１２のシャフト５８の軸方向（Ｘ方向）の中心位置がずれて、ロータケース５７が軸方向（Ｘ方向）であってその下方側に吸引されるために起こる。
【００４０】
また、このステータ板５１１の上方であってメタル軸受５９の外周側には、軸受ホルダ５１３が設けられ、この軸受ホルダ５１３の外周側には、シャフト５８の軸方向（Ｘ方向）に駆動コイル５１４を巻回したコア５１２が設けられている。
【００４１】
さらに、この情報記録再生装置１には、光ディスク２をターンテーブル５１に保持する際、このターンテーブル５１を設けた回転保持部５および光ピックアップ４とを光ディスク２の面に対して垂直方向に移動させる移動手段６が設けられている。
【００４２】
この移動手段６は、上記したシャーシ３と、光ディスク２のローディング／アンローディングを行なうモータ６１と、このモータ６１の駆動に連動してシャーシ３を光ディスク２の面に対して垂直方向に移動させるようシャーシ３を案内するスライド板６３と、このスライド板６３によるシャーシ３の垂直方向の移動に連動して回転保持部５を光ディスク２の面に対して垂直方向に移動させる昇降レバー６４と、から構成されている。
【００４３】
シャーシ３は、その一端において回転保持部５に保持する光ディスク２の面に対して垂直方向に移動可能にする板バネ６５を介してベース１１に設けられている。
【００４４】
モータ６１には、ローディング／アンローディングする際に生じるその回転にともない下記するスライド板６３のラック部６３ｃをスライドさせる中継ギア６２が設けられている。
【００４５】
スライド板６３は、シャーシ３を光ディスク２の面に対して垂直方向に移動させるよう案内する操作部６３ａと、シャーシ３の他端に設けられる２本の駆動ピン３ａが係合された２つの同形状のカム部６３ｂと、ローディング／アンローディングする際に駆動するモータ６１の中継ギア６２に係合されたラック部６３ｃとから構成されている。
【００４６】
昇降レバー６４は、シャーシ３上の支点に回転可能な状態で設けられ、その一端部が二股に分かれている。この一端部の各先端６４ａには低摩擦部材６４ｂが設けられてなり、これら各先端６４ａがロータケース５７の下部の空間（図３、図４参照）に入り込みロータケース５７に係合可能に配されている。また、昇降レバー６４の他端部は、スライド板６３の操作部６３ａと係合可能な位置に配されている。
【００４７】
また、シャーシ３上の支点にはねじりバネ６４ｃが備えられている。このねじりバネ６４ｃの一端は昇降レバー６４に掛けられ、その他端はシャーシ３に掛けられており、このねじりバネ６４ｃにより昇降レバー６４は反時計回り方向に付勢されている。この付勢により、昇降レバー６４の一端部の各先端６４ａがロータケース５７を上昇させている。
【００４８】
次に、図１乃至図８を用いて、この情報記録再生装置１における光ディスク２のローディング／アンローディングの工程を説明する。
【００４９】
光ディスク２を情報記録再生装置１にローディングしていない時、スライド板６３は図５、図６に示す状態に配され、光ディスク２のローディングが可能な状態となっている。また、シャーシ３の駆動ピン３ａがスライド板６３のカム部６３ｂに案内されて最下方に配されており、シャーシ３は、図６に示すようにベース１１に対して傾斜した状態になっている。この時、昇降レバー６４はねじりバネ６４ｃにより反時計回り方向に付勢されており（図４参照）、その一端側が上昇し、この上昇している昇降レバー６４の一端がロータケース５７を押上げる。その結果、ロータケース５７はシャーシ３から離れる方向（Ｘ方向、図４参照）に上昇している。また、スピンドルモータ５２では、図４に示すように、ロータマグネット５６と駆動コイル５１４の吸引力によりロータケース５７をステータ板５１１の方向に吸引する。
【００５０】
この情報記録再生装置１の状態において、ディスク搬送機構（図示省略）により光ディスク２をローディングする。そして、光ディスク２をローディングするためにモータ６１が時計回り方向に回動し始め、このモータ６１に連動して、中継ギア６２を介してスライド板６３のラック部６３ｃがＹ方向にスライド動作を行う（図５参照）とともに、シャーシ３の駆動ピン３ａがスライド板６３のカム部６３ｂに案内されてＺ方向に上昇する（図６参照）。この時、図２に示すように、光ディスク２はスピンドルモータ５２のターンテーブル５１上にセンタリングされた状態で、クランパ５４との間に保持（図４参照）される。
【００５１】
そして、継続してモータ６１が回動することによりスライド板６３がスライド動作を行なう。このスライド動作により、そのカム部６３ｂに係合されているシャーシ３の駆動ピン３ａが、情報記録再生装置１におけるスライド板６３の操作部６３ａが設けられた高さまで上昇する（図１、図２、参照）。シャーシ３の駆動ピン３ａがスライド板６３の操作部６３ａが設けられた高さまで上昇すると、昇降レバー６４の他端部の下部にスライド板６３の操作部６３ａが入り込む。この時、昇降レバー６４は、ねじりバネ６４ｃの付勢力に抗して時計回り方向に回動し（図７、図８、参照）、図４に示すように、昇降レバー６４の一端６４ａはロータケース５７から離れた状態となり、ロータマグネット５６と駆動コイル５１４の吸引力によりロータケース５７が下方向に吸引されて、シャフト５８の先端球面５８ａがスラスト板５１０に当接する位置まで下降して、これにより光ディスク１と対物レンズ６との距離は所定の距離となり（図３参照）、情報記録再生装置１における光ディスク２のローディングを終える。
【００５２】
また、この情報記録再生装置１における光ディスク２のアンローディングは、上記した光ディスク２のローディングの工程と逆となる工程によって行われる。したがって、光ディスク２のアンローディング工程の説明を省略する。
【００５３】
上述したように、この情報記録再生装置１によれば、回転保持部５と光ピックアップ４と移動手段６とが設けられているので、光ピックアップ４によってターンテーブル５１に保持した光ディスク２から情報を記録再生する時以外は、移動手段６によりターンテーブル５１に保持した光ディスク２の面と対物レンズ４１との距離を離すことができ、その結果、光ピックアップ４とターンテーブル５１に保持した光ディスク２との衝突を回避することができる。特に、光ディスク２と対物レンズ４１との作動距離（ワーキングディスタンス）が小さい高密度情報記録再生装置においてその効果が顕著に現れる。
【００５４】
また、移動手段６がスピンドルモータ５２とその複数の箇所で当接しているので、一点で当接する場合と比較して、光ディスク２の面に対して垂直方向（Ｘ方向、図３、図４参照）に傾くことなく移動することができる。また、一点で回転保持部５を垂直方向に移動させる場合と比較して、垂直移動することによるスピンドルモータ５２のシャフト５８とスラスト板５１０との摺動によって生じる摩耗等を防止することができる。
【００５５】
また、スピンドルモータ５２のスラスト板５１０を介して、スラスト板５１０とシャフト５８を同時に垂直移動（昇降）させるため、光ディスク２を光ピックアップ４に接近させる方向に移動させる時（Ｘ方向下方、図３、図４参照）であっても、スピンドルモータ５２を回転させることができ、光ピックアップ４のフォーカスを合わせながら光ディスク２を光ピックアップに近づけることができ、光ディスク２と対物レンズ４１の衝突をより防止することができる。
【００５６】
また、情報の記録再生を可能な状態にした際、移動手段６とスピンドルモータ５２とは非接触状態となるので、スピンドルモータ５２は移動手段６との当接による負荷の影響を受けることなくターンテーブル５１に保持した光ディスク２を回転させることができる。
【００５７】
また、光ディスク２を傾くことなくターンテーブル５１に保持した後に、シャフト５８が保持した光ディスク２の面に対して垂直方向に移動するので、光ディスク２の傾きによって生じる光ディスク２と光ピックアップ４との衝突を回避することができる。
【００５８】
また、移動手段６の移動が光ディスク２をローディング／アンローディングするモータ６１の稼動に連動して行なわれるので、光ディスク２のローディング／アンローディング時のみ、モータロータ（図示省略）を上昇させて、ターンテーブル５１に保持した光ディスク２を光ピックアップ４から離れる方向に移動させることができる。
【００５９】
また、本実施の形態１では、スライド板６３に操作部６３ａを設け、モータ６１の稼動に連動させて昇降レバー６４を動作させたが、これに限定されるものではなく、昇降レバー６４を動作させるためのモータ等の専用駆動源を設けてもよい。
【００６０】
また、本実施の形態１では、光ディスク２に光ディスク２単体を用いているが、これに限定されるものではなく、カートリッジに格納された光ディスク２を用いてもよい。本実施の形態１にかかる情報記録再生装置１では、移動手段の移動量を任意に設定（例えば、カートリッジの内壁と光ディスク２との隙間幅以下に設定）することができるので、光ディスク２を格納したカートリッジを用いた場合であっても、光ディスク２のローディング時、ローディングした光ディスク２への非記録再生時、および本情報記録再生装置１の電源をＯＦＦしている時に、カートリッジの内壁に光ディスク２が当たらない状態で光ピックアップ４と光ディスク２との衝突を確実に回避することができる。
【００６１】
また、スライド板６３のスライド動作（図１、図２、図５、図６、図７及び図８参照）を光ディスク２へ情報を記録再生するスイッチ（図示省略）に連動させてもよい。この場合、図８に示すように記録再生の際、モータロータを下降させることにより光ディスク２を対物レンズ４１に近接させ、その他の状態においてはモータロータを上昇させることにより光ディスク２を対物レンズ４１から離す。すなわち、光ディスク２への情報の記録再生時のみ、移動手段６によって回転保持部５を下降させるので、光ディスク２のローディング時、ローディングした光ディスク２への非記録再生時、および装置の電源をＯＦＦしている時に、光ピックアップ４と光ディスク２との衝突を確実に回避することができる。
【００６２】
また、本実施の形態１では、回転保持部５に光ディスク２を保持し、モータロータを下降させることにより光ディスク２を対物レンズ４１に接近させた後に、スピンドルモータ５２により光ディスク２を回転させているが、これに限定されるものではなく、移動手段６により回転保持部５を、保持する光ディスク２に接近する方向に移動させる際、上記スピンドルモータ５２では移動完了するまでに予め設定した回転数になるよう構成されてもよい。この場合、昇降レバー６４の一端６４ａに低摩擦部材６４ｂ（図３、図４参照）が設けられているので、光ピックアップ４のフォーカスを合わせながら、移動手段６によりターンテーブル５１に保持した光ディスク２を光ピックアップ４に接近させることができ、光ピックアップ４のフォーカスの合致に対応するよう移動手段６の移動を制限させることができる。その結果、光ディスク２と光ピックアップ４との衝突を回避することができる。なお、低摩擦部材６４ｂの代わりに回転ローラ等を設けても同様の効果を有する。
【００６３】
次に、本実施の形態１にかかる情報記録再生装置１と同様の効果を有する他の情報記録再生装置を説明する。
＜実施の形態２＞
実施の形態２にかかる情報記録再生装置１は、上記実施の形態１にかかる情報記録再生装置１と、回転保持部５と昇降レバー６４との点が異なるだけで他の構成は同一である。従って、ここでは実施の形態１にかかる情報記録再生装置１と異なる構成についてのみ詳説し、同一の構成についての詳細な説明は省略する。
【００６４】
この情報記録再生装置１には、ベース１１上にシャーシ３が配設され、このシャーシ３に光ピックアップ４と回転保持部５とが設けられている。
【００６５】
回転保持部５は、図９、図１０に示すように、ターンテーブル５１とスピンドルモータ５２とから構成されている。
【００６６】
ターンテーブル５１には、図９、図１０に示すように、その内部にチャッキングマグネット４５が設けられ、このチャッキングマグネット４５の上方にクランパ５４が設けられ、このチャッキングマグネット４５の外方に光ディスク２の中心孔２ａを嵌める傾斜片５５が設けられている。
【００６７】
スピンドルモータ５２は、その外周側が、ロータマグネット５６が圧入等により外周側の内側面に固着したロータケース５７により構成され、ロータケース５７の中心部にシャフト５８が設けられている。このシャフト５８は、その軸方向（Ｘ’方向、図９、図１０参照）であってその下方側の先端５８ａが半球状に形成されている。
【００６８】
このシャフト５８の外周側には、数μｍ程度の隙間をあけてメタル軸受５９が設けられ、シャフト５８の先端５８ａが、スラスト板５１０を介してスラスト板保持部５１５の板面に接している。
【００６９】
また、このステータ板５１１の上方であってメタル軸受５９の外周側には、軸受ホルダ５１３が設けられ、この軸受ホルダ５１３の外周側には、シャフト５８の軸方向（Ｘ’方向）に駆動コイル５１４を巻回したコア５１２が設けられている。また、軸受ホルダ５１３のスラスト板保持部５１５を配する位置には、スラスト板保持部５１５がシャフト５８の軸方向（Ｘ’方向）に移動可能な移動エリアＤが形成されている。
【００７０】
さらに、この情報記録再生装置１には、光ディスク２をターンテーブル５１に保持する際、このターンテーブル５１を設けた回転保持部５および光ピックアップ４とを光ディスク２の面に対して垂直方向に移動させる移動手段６が設けられている。
【００７１】
この移動手段６は、上記したシャーシ３と、光ディスク２のローディング／アンローディングを行なうモータ６１と、このモータ６１の駆動に連動してシャーシ３を光ディスク２の面に対して垂直方向に移動させるようシャーシ３を案内するスライド板６３と、このスライド板６３によるシャーシ３の垂直方向の移動に連動して回転保持部５を光ディスク２の面に対して垂直方向に移動させる昇降レバー６４とから構成されている。
【００７２】
昇降レバー６４は、シャーシ３上の支点に回転可能な状態で設けられている。この昇降レバー６４の一端部の先端６４ａは球状体に形成され、その先端６４ａがステータ板５１１の中心部に設けられたスラスト板保持部材５１５の底面に当接されている。昇降レバー６４の他端部は、スライド板６３の操作部６３ａに係合する片である。
【００７３】
また、シャーシ３上の支点にはねじりバネ６４ｃが備えられている。このねじりバネ６４ｃの一端は昇降レバー６４に掛けられ、その他端はシャーシ３に掛けられており、このねじりバネ６４ｃにより昇降レバー６４は反時計回り方向に付勢されている。この付勢により、昇降レバー６４の一端部の各先端６４ａがスラスト板保持部５１５を上昇させている。
【００７４】
次に、図１、図２、図５、図６、図７、図８、図９及び図１０を用いて、この情報記録再生装置１における光ディスク２のローディング／アンローディングの工程を説明する。
【００７５】
光ディスク２を情報記録再生装置１にローディングしていない時、スライド板６３は図５、図６に示す状態に配され、光ディスク２のローディングが可能な状態となっている。また、シャーシ３の駆動ピン３ａがスライド板６３のカム部６３ｂに案内されて最下方に配されており、シャーシ３は、図６に示すようにベース１１に対して傾斜した状態になっている。この時、昇降レバー６４はねじりバネ６４ｃにより反時計回り方向に付勢されており（図９参照）、その一端側が上昇し、この上昇している昇降レバー６４の一端がスラスト板保持部５１５を押上げる。その結果、スラスト板保持部５１５はシャーシ３から離れる方向（Ｘ’方向、図９参照）に上昇している。また、スピンドルモータ５２では、図９に示すように、ロータマグネット５６と駆動コイル５１４の吸引力によりロータケース５７をステータ板５１１の方向に吸引する。
【００７６】
この情報記録再生装置１の状態において、ディスク搬送機構（図示省略）により光ディスク２をローディングする。そして、光ディスク２をローディングするためにモータ６１が時計回り方向に回動し始め、このモータ６１に連動して、中継ギア６２を介してスライド板６３のラック部６３ｃがＹ方向にスライド動作を行う（図５参照）とともに、シャーシ３の駆動ピン３ａがスライド板６３のカム部６３ｂに案内されてＹ方向に上昇する（図５参照）。この時、図１、図２に示すように、光ディスク２はスピンドルモータ５２のターンテーブル５１上にセンタリングされた状態で、クランパ５４との間に保持される。
【００７７】
そして、継続してモータ６１が回動することによりスライド板６３がスライド動作を行なう。このスライド動作により、そのカム部６３ｂに係合されているシャーシ３の駆動ピン３ａが、情報記録再生装置１におけるスライド板６３の操作部６３ａが設けられた高さまで上昇する（図１、図２、参照）。シャーシ３の駆動ピン３ａがスライド板６３の操作部６３ａが設けられた高さまで上昇すると、昇降レバー６４の他端部の下部にスライド板６３の操作部６３ａが入り込む。この時、昇降レバー６４は、ねじりバネ６４ｃの付勢力に抗して時計回り方向に回動し（図７、図８、参照）、図９に示すように、ロータマグネット５６と駆動コイル５１４の吸引力によりロータケース５７が下方向に吸引されて、シャフト５８の先端球面５８ａがスラスト板保持部５１０を介してスラスト板保持部５１５に当接した状態で下降して、これにより光ディスク１と対物レンズ６との距離は所定の距離となり（図１０参照）、情報記録再生装置１における光ディスク２のローディングを終える。
【００７８】
また、この情報記録再生装置１における光ディスク２のアンローディングは、上記した光ディスク２のローディングの工程と逆となる工程によって行われる。したがって、光ディスク２のアンローディング工程の説明を省略する。
【００７９】
【発明の効果】
以上、説明したように、本発明によれば、ディスク状記録媒体のローディング時、ローディングしたディスク状記録媒体への非記録再生時、および装置の電源をＯＦＦしている時であっても、対物レンズとディスク状記録媒体との衝突を確実に回避する、小型でかつ簡単な構成からなる情報記録再生装置を提供することができる。
【００８０】
すなわち、本発明にかかる情報記録再生装置には、回転保持部とピックアップ部と移動手段とが設けられているので、ピックアップ部によって保持部に保持したディスク状記録媒体から情報を記録再生する時以外は、移動手段により保持部に保持したディスク状記録媒体の面と対物レンズとの距離を離すことができる。その結果、ピックアップ部と保持部に保持したディスク状記録媒体との衝突を回避することができる。特に、ディスク状記録媒体と対物レンズとの作動距離（ワーキングディスタンス）が小さい高密度情報記録再生装置においてその効果が顕著に現れる。
【図面の簡単な説明】
【図１】本実施の形態１にかかる情報記録再生装置の平面図であって、シャーシが上昇した状態の時の図である。
【図２】図１のＡ−Ａ線断面図である。
【図３】本実施の形態１にかかる情報記録再生装置に設けられたスピンドルモータの側面断面図である。
【図４】本実施の形態１にかかる情報記録再生装置に設けられたスピンドルモータのロータ部を上昇させた位置での側面断面図である。
【図５】本実施の形態１にかかる情報記録再生装置の平面図であって、光ディスクが情報記録再生装置内に挿入されていない状態の時の図である。
【図６】図５のＢ−Ｂ線断面図である。
【図７】本実施の形態１にかかる情報記録再生装置の平面図であって、光ディスクがターンテーブルにチャッキングされモータロータが下降した状態の時の図である。
【図８】図７のＣ−Ｃ線断面図である。
【図９】本実施の形態２にかかる情報記録再生装置に設けられたスピンドルモータのロータ部を上昇させた位置での側面断面図である。
【図１０】本実施の形態２にかかる情報記録再生装置に設けられたスピンドルモータの側面断面図である。
【図１１】従来の情報記録再生装置であって、光ピックアップにローディングした光ディスクが接触した状態の概略側面図である。
【符号の説明】
１　情報記録再生装置
１１　ベース
２　光ディスク
２ａ　中心孔
３　シャーシ
３ａ　駆動ピン
４　光ピックアップ
４１　対物レンズ
４２　対物レンズ駆動装置
４３　ガイド孔
４４　ガイド軸
４５　チャッキングマグネット
５　回転保持部
５１　ターンテーブル
５２　スピンドルモータ
５４　クランパ
５５　傾斜片
５６　モータ磁気回路用ロータマグネット
５７　ロータケース
５８　シャフト
５８ａ　シャフトの先端
５９　メタル軸受
５１０　スラスト板
５１１　ステータ板
５１３　軸受ホルダ
５１２　コア
５１４　駆動コイル
５１５　スラスト板保持部材
６　移動手段
６１　モータ
６２　中継ギア
６３　スライド板
６３ａ　操作部
６３ｂ　カム部
６３ｃ　ラック部
６４　昇降レバー
６４ａ　昇降レバーの先端部
６４ｂ　低摩擦部材
６４ｃ　ねじりバネ
６５　板バネ
【図１】
2004139633.tif 000003
【図２】
2004139633.tif 000004
【図３】
2004139633.tif 000005
【図４】
2004139633.tif 000006
【図５】
2004139633.tif 000007
【図６】
2004139633.tif 000008
【図７】
2004139633.tif 000009
【図８】
2004139633.tif 000010
【図９】
2004139633.tif 000011
【図１０】
2004139633.tif 000012
【図１１】
2004139633.tif 000013